【事件の表示】
　特許第２７２１８２４号「ラベルプリンタ」の特許に対する特許異議の申立てについて、次のとおり決定する。
【結論】
　訂正を認める。
　特許第２７２１８２４号の特許を維持する。
【理由】
Ｉ．手続の経緯
　本件特許第２７２１８２４号の発明は、昭和６２年６月３０日に出願した特願昭６２−１６１０５８号の一部を平成８年５月３１日に新たな特許出願としたもの（特願平８−１３８１１８号）に係り、平成９年１１月２１日にその特許権の設定の登録がなされ、原口文夫及び寺尾健吾より特許異議の申し立てがなされ、取消理由通知がなされ、その指定期間内である平成１１年３月５日に訂正請求がなされ、その後に訂正拒絶理由通知がなされ、その指定期間内の平成１１年９月８日に手続補正書が提出されたものである。
ＩＩ．訂正の適否
（１）訂正請求に対する補正の適否について
　特許権者は、訂正請求書の訂正明細書の特許請求の範囲における「前記メモリカードの装着及び前記選択手段によるメモリカードの選択という条件で、前記カード情報読取り手段により読取ったカード情報の印字フォーマットデータにより印字フォーマットを設定するとともに前記サーマルヘッドで印字される文字または記号の太さおよび間隔の設定を行なう印字フォーマット設定手段と、」という記載を、「前記メモリカードの装着及び前記選択手段によるメモリカードの選択という条件で、前記カード情報読取り手段により読取ったカード情報の印字フォーマットデータにより前記サーマルヘッドで印字される文字または記号の太さおよび間隔を含む印字フォーマットを設定する印字フォーマット設定手段と、」という記載に補正すると共に、これに伴い、訂正明細書の特許請求の範囲の記載と発明の詳細な説明の記載を整合させるために訂正明細書の発明の詳細な説明を補正するものであり、当該訂正請求に対する補正は、訂正請求書の要旨を変更するものでなく、特許法第１２０条の４第３項において準用する同法第１３１条第２項の規定に適合する。
（２）訂正の内容
　特許権者の求めている訂正の内容は、以下のとおりである。
　▲１▼訂正事項ａ
　特許請求の範囲の
「【請求項１】ラベルの印字データを入力する入力部と、この入力部からの印字データ及び所定メッセージを表示する表示部と、前記印字データをラベルに印字するサーマルヘッドと、着脱自在なメモリカードに記憶された印字フォーマットデータを含むカード情報を読取るカード情報続取り手段と、標準の印字フォーマットの設定情報が記憶された標準設定情報記憶手段と、前記メモリカードか又は前記標準設定情報記憶手段かを選択する選択手段と、前記メモリカード未装着という条件又は前記メモリカード装着及び前記選択手段による前記標準設定情報記憶手段の選択という条件で、前記標準設定情報記憶手段に記憶された標準の印字フォーマットの設定情報に基づいて印字フォーマットを設定し、前記メモリカードの装着及び前記選択手段によるメモリカードの選択という条件で、前記カード情報読取り手段により読取ったカード情報の印字フォーマットデータにより前期サーマルヘッドで印字される文字または記号の太さおよび間隔を含む印字フォーマットを設定する印字フォーマット設定手段と、この手段により設定された印字フォーマットにしたがって前記サーマルヘッドにより印字データの印字を行なう印字制御手段とを具備したことを特徴とするラベルプリンタ。
　【請求頃２】印字フォーマット設定手段は、カード情報の印字フォーマットデータによりサーマルヘッドへの印加電圧の設定を行なうことを特徴とする請求項１記載のラベルプリンタ。
　【請求項３】印字フォーマット設定手段は、カード情報の印字フォーマットデータによりサーマルヘッドで印字される文字または記号の太さ及び間隔の設定を行うことを特徴とする請求項１記載のラベルプリンタ。」を
「【請求項１】ラベルの印字データを入力する入力部と、この入力部からの印字データ及び所定メッセージを表示する表示部と、前記印字データをラベルに印字するサーマルヘッドと、着脱自在なメモリカードに記憶された印字フォーマットデータを含むカード情報を読取るカード情報続取り手段と、標準の印字フォーマットの設定情報が記憶された標準設定情報記憶手段と、前記メモリカードか又は前記標準設定情報記憶手段かを選択する選択手段と、前記メモリカード未装着という条件又は前記メモリカード装着及び前記選択手段による前記標準設定情報記憶手段の選択という条件で、前記標準設定情報記憶手段に記憶された標準の印字フォーマットの設定情報に基づいて印字フォーマットを設定し、前記メモリカードの装着及び前記選択手段によるメモリカードの選択という条件で、前記カード情報読取り手段により読取ったカード情報の印字フォーマットデータにより
前記サーマルヘッドで印字される文字または記号の太さおよび間隔を含む
　【請求頃２】印字フォーマット設定手段は、カード情報の印字フォーマットデータによりサーマルヘッドへの印加電圧の設定を行なうことを特徴とする請求項１記載のラベルプリンタ。」と訂正する（請求項３の内容は、請求項１に取り込まれ、請求項３自体は削除された。また、訂正個所にアンダーラインを付した。）。
▲２▼訂正事項ｂ
　明細書第３頁の段落【００７】の「により印字フォーマットを設定する印字フォーマット設定手段」（特許公報第２頁第４欄第１３〜１４行）を、「によりサーマルヘッドで印字される文字または記号の太さおよび間隔を含む印字フォーマットを設定する印字フォーマット設定手段」に訂正する。
▲３▼訂正事項ｃ
　明細書の段落【００１０】の「請求項３記載の発明は、請求項１記載のラベルプリンタにおいて、印字フォーマット設定手段は、カード情報の印字フォーマットデータによりサーマルヘッドで印字される文字または記号の太さ及び間隔の設定を行なうことにある。」（特許公報第２頁第４欄第３１〜３５行）という記載を削除する。
（３）訂正の目的の適否、新規事項の有無及び拡張・変更の存否
　上記▲１▼の訂正事項ａに関連する記載として、願書に添付した明細書（「以下、「特許明細書」という。）の特許請求の範囲の請求項３に「印字フォーマット設定手段は、カード情報の印字フォーマットデータによりサーマルヘッドで印字される文字または記号の太さ及び間隔の設定を行うことを特徴とする請求項１記載のラベルプリンタ。」と記載され、また、発明の詳細な説明の段落【００１０】には、「請求項３記載の発明は、請求項１記載のラベルプリンタにおいて、印字フォーマット設定手段は、カード情報の印字フォーマットデータによりサーマルヘッドで印字される文字または記号の太さ及び間隔の設定を行なうことにある。」（特許公報第２頁第４欄第３１〜３５行）と記載されているから、特許明細書には、カード情報の印字フォーマットデータに、サーマルヘッドで印字される文字または記号の太さおよび間隔を含むものも記載されていたと認められる。
　そうすると、上記▲１▼の訂正事項は、特許明細書に記載された事項の範囲内において、特許請求の範囲の請求項１に記載された「カード情報の印字フォーマットデータ」を限定したものといえるから、特許請求の範囲の減縮に該当し、新規事項の追加に該当しない。
　また、上記▲２▼と▲３▼の訂正事項は、上記▲１▼の訂正事項に伴い、特許請求の範囲の記載と発明の詳細な説明の記載との整合を図るため、発明の詳細な説明の記載を訂正したものであるから、不明りょうな記載の釈明に該当し、新規事項の追加に該当しない。
　そして、上記いずれの訂正事項も実質上特許請求の範囲を拡張し、変更するものでない。
（４）独立特許要件の判断
（訂正発明）
　訂正明細書の請求項１に係る発明（以下、「訂正発明」という。）は、上記（２）▲１▼の訂正による特許請求の範囲の請求項１に記載された事項により特定されるとおりのものである。
（引用刊行物記載の発明）
　訂正発明に対して、当審が取消理由通知において引用した刊行物１（特開昭６０−２３２９７４号公報）には、「コードデータ入力に対応するパターン情報を印刷する印字装置において、本体に内蔵しているパターン変換手段と、指定可能な複数セットのパターン変換手段からなるカートリッジ手段を外部より着脱自在に支持するコネクタ手段と、前記指定される複数セットのパターン変換手段について更に優先して１のパターン変換手段を選択する選択手段と、前記コネクタ手段に前記カートリッジ手段が装着されているときは前記選択手段の選択するパターン変換手段を用いて印刷し、前記コネクタ手段に前記カートリッジ手段が装着されていないときは前記本体に内蔵しているパターン変換手段を用いて印刷する印刷制御手段を備えることを特徴とする印刷装置」（特許請求の範囲）、「１は外部からプリントデータ及び印刷コマンドを出力するホストコンピュータ、２は本実施例の印刷装置本体、３は複数種の文字セットパターンを記憶しているフォントカートリッジである。本体２は、ＲＡＭ，ＲＯＭを含むマイクロプロセッサにより構成され装置の印刷制御を掌る制御部２１と、ホストコンピュータ１から入力されたプリンタデータコードを対応するパターンデータに変換する内蔵文字セット２２と、変換されたパターンデータを用紙上に永久可視像形成するドットプリンタ部２３を備えている。第２図はフォントカートリッジ３の外観を示す斜視図である。図において、３２はフォントカートリッジ３内の文字セットを選択するためのディップスイッチ、３１は本体２のコネクタ２４に対して着脱自在に嵌合し、且つ各種信号を電気的に接続するところのコネクタである。第３図はフォントカートリッジ３の構成を示すブロック図である。図において例えば文字セットの種類毎に番号を付せば、文字セット０はＲＯＭ０に、文字セット１はＲＯＭ１に、の如くして文字セット７までが各ＲＯＭに格納されている。」（第２頁左下欄第１２行〜第３頁左上欄第１行）「ステップＳ２ではフォントカートリッジ３がコネクタ２４に装着されているか否かを調べる。装着状態の有無は、例えば制御部２１よりコネクタ２４の任意２個のピンがカートリッジ３の装填により短絡されているか否かを判別することで容易に知ることができる。フォントカートリッジ３が装着されていないときはステップＳ１６に進み内蔵文字セット２２を選択する。これが常用文字セットを選択する条件でありオペレータはフォントカートリッジ３を装着しなければよい。ステップＳ２０では印字プログラムを実行する。また、フォントカートリッジ３が装着されているときはステップＳ３でディップスイッチ３２のビット０が１か否かを調べる。１ならばステップＳ８に進みＲＯＭ０を選択する。つまり、ホストコンピュータ１からの入力文字コードデータに対して上位３ビットに０００のコードを付加し、ＲＯＭ０によりパターン変換する手段を形成する。ステップＳ２０ではＲＯＭ０の文字セットに従って変換されたフォントパターンがドットプリンタ部２３により印刷される。また、ディップスイッチ３２のビット０が１でないときはステップＳ４に進む。ステップＳ４では同様にしてディップスイッチ３２のビット１が１か否かを調べる。１ならばステップＳ９に進みＲＯＭ１を選択する。以後、ステップＳＴ５のビット７について調べるところまでの処理は同様である。こうしてビット０からビット７までは順番に検査され、もし途中で１のビットがあればその文字セットが選択される。従って、オペレータが優先順位の低いものから高いものを選択するときにはそのビットスイッチをＯＮにするだけでよい。また、もとに戻すときにはそのビットスイッチをＯＦＦにするだけでよい。このようにして、ホストコンピュータ１から文字セット選択操作をしなくても装置本体部における簡単なスイッチ操作で文字セット選択が行なえる。」（第３頁右上欄第２行〜右下欄第６行）及び「複数種のパターン変換手段を備え、該パターン変換手段を選択使用するに際してオペレータによる簡便な操作と使用優先順位を加味した読み出し制御によっていつでも必要とする文字セットが容易迅速に選択されるから、印刷能率が格段に改善される。」と記載され、第１図に印刷装置の構成を示すブロック図、第４図に制御部が特定の文字セットを選択するまでの処理を示すフローチャートが記載されている。
　同じく、引用した刊行物２（特開昭６０−１３４８３９号公報）には、「これらの図に示すラベルプリンタは被計量物１の重量を計量する機能、この計量結果に基づいてラベル用紙にサーマル印刷を行ってラベル２を発行する」（第２頁右上欄第１４〜１７行）及び「操作パネル部１１は、第３図に示すように操作部１４および表示部１５から構成されている。操作部１４はテンキー、各種のファンクションキー等から構成され、各キースイッチの出力はインタフェース回路１６を介してバスライン９へ出力される。表示部１５は、液晶によるドット表示器によって構成されており、表示区面１５ａにはラベル２に印字する文字および各種メッセージ等が表示され、」（第２頁左下欄第１８行〜右下欄第６行）と記載され、第７図に、「コード」と「品名」の各文字パターン及びその配置位置が書き込まれるＲＡＭ４の１６０×２２４ビット印字用エリア４１ａを示す図が記載されている。
　同じく、引用した刊行物３（特開昭５９−９３３６８号公報）には、「７は駆動パルス制御手段たるサーマルヘッド印加電圧制御回路であり、これは、前記エンコーダ４からのパルス信号を受けて制御信号を発生し、この制御信号に基づいて前記サーマルヘッド３に駆動パルスを給電するサーマルヘッド駆動回路８を制御するものである。これを詳述すれば、サーマルヘッド印加電圧制御回路７は、サーマルヘッド駆動回路８から出力される駆動パルスの幅がエンコーダ４から出力されるパルス信号の幅に比例例えば等しくなるように制御するとともに、該駆動パルスの電圧値が、第３図に示す如き移動速度ー印加電圧の出力特性に基づいて、前記パルス信号の間隔に逆比例するように制御するものである。」と記載されている。
　同じく、引用した刊行物４（特開昭６０−１５９０６８号公報）には、「標準パターンを発生する第１のパターン発生手段と、前記標準パターンと異なる書体の第２のパターンを発生する着脱可能な第２のパターン発生手段と、前記パターンを前記第１のパターン発生手段より発生させるか前記第２のパターン発生手段より発生させるかを選択する選択手段と、前記第２のパターン発生手段が装着されているか否かを判別する判別手段と、前記第１のパターン発生手段により発生された標準パターンより前記第２のパターンの擬似パターンを発生させる擬似パターン発生手段とを備え、前記選択手段は前記第２のパターン発生手段選択時に前記判別手段が前記第２のパターン発生手段未装着と判別した時に前記第２のパターン発生手段に替え前記第１のパターン発生手段と前記擬似パターン発生手段とを選択し、前記第１のパターン発生手段発生の標準パターンを擬似パターンに変換して出力することを特徴とする出力装置。」（特許請求の範囲）と「書体の変更は様々な場合に行なわれるが、最も頻繁に用いられるのが、第１図（ａ）の標準書体に対して第１図（ｂ）の如くのいわゆるポールド書体及び、第１図（ｃ）の如くのいわゆるイタリック書体である。ボールド書体は基本書体に比して文字の太さを増すことにより表現され、またイタリック書体は標準書体に比して文字の傾きを与えることにより表現され、文字列の強調などに用いられる。」と記載されている。
　同じく、引用した刊行物５（実願昭５８−７９２２５号（実開昭５９−１８４６４５号）のマイクロフィルム）には、「ラベル上にプリントアウトされる各情報のうち少なくとも計重データにかかわらず一定の設定情報をブラウン管ディスプレイ上に前記プリントアウトと同じフォーマットで表示するよう構成した品名印字付きラベルプリンタ。」（実用新案登録請求の範囲）「（２）は表示・プリント制御部、（３）はラベル発行用のドットマトリクスプリンタ、（４）はコード番号に対応して予め各品名が書き込まれた品名メモリ、（５）は置数用テンキー、（６）はテンキー（５）による置数の設定モード指定キー、（７）はドットマトリクス表示器で、設定された「加工日」，「単価」，「品名」等のうちの１つを切換えて表示する。」と記載され、第１図にラベルプリンタの構成図が、第２図に発行ラベルのフォーマット図が記載されている。
（対比・判断）
　訂正発明と上記刊行物１乃至５に記載された発明とを対比すると、上記刊行物１乃至５には、訂正発明を特定する事項である「カード情報読取り手段により読取ったカード情報の印字フォーマットデータによりサーマルヘッドで印字される文字または記号の太さおよび間隔を含む印字フォーマットを設定する印字フォーマット設定手段」の点が記載されておらず、また、その示唆もない。
　この点について、上記刊行物４には、印字される文字または記号の太さを変更可能にするプリンタが記載されているものの、着脱可能なカード等に記憶された印字フォーマットデータによるものでない。
　そして、本件発明は、この点を備えることにより、明細書に記載された「メモリカードを変更するのみの簡単な操作で印字フォーマットを容易に変更でき、汎用性に富んだ使用ができ、また、内蔵するプログラムを標準化でき製造効率を高めることができ、しかもコスト低下を実現できるラベルプリンタを提供できる。」という効果を奏するものと認められるから、訂正発明が上記刊行物１乃至５に記載された発明と同一又はそれらから当業者が容易に発明をすることができたものとはいえない。
　また、訂正明細書の請求項２に係る発明は、訂正発明を引用し、しかも、訂正発明を特定する事項を全てその特定事項とするものであるから、訂正明細書の請求項２に係る発明も上記刊行物１乃至５に記載された発明と同一又はそれから当業者が容易に発明をすることができたものとはいえない。
　しがって、本件訂正明細書の請求項１乃至２に係る発明は、特許出願の際独立して特許を受けることができるものと認める。
　なお、異議申し立ての理由については後述する。
（５）むすび
　以上のとおりであるから、上記訂正請求は、特許法１２０条の４第２項及び同条第３項で準用する第１２６条第２乃至４項の規定に適合するので、当該訂正を認める。
ＩＩＩ．特許異議申し立てについての判断
（１）申立の理由の概要
　Ａ．異議申立人原口文夫は、甲第１号証（特開昭６０−２３２９７４号公報＝上記刊行物１）、甲第２号証（特開昭６０−１３４８３９号公報＝上記刊行物２）、甲第３号証（特開昭５９−９３３６８号公報＝上記刊行物３）、甲第４号証（特開昭６０−１５９０６８号公報＝上記刊行物４）及び甲第５号証（実願昭５８−７９２２５号（実開昭５９−１８４６４５号）のマイクロフイルム＝上記刊行物５）を提出し、本件請求項１乃至３に係る発明は、これらのそれぞれに記載された発明に基づいて当業者が容易に発明をすることができたものであり、本件請求項１乃至３に係る発明の特許は、特許法第２９条第２項の規定に違反してなされたものであるから取り消すべきである旨主張している。
　Ｂ．異議申立人寺尾健吾は、甲第１号証（特開昭５７−８９９８１号公報）、甲第２号証（特開昭５５−９７８号公報）、甲第３号証（特開昭６０−２０４０２５号公報）、甲第４号証（特開昭６０−１３４８３９号公報＝上記刊行物２）、甲第５号証（特開昭５９−９３３６８号公報＝上記刊行物３）及び甲第６号証（特開昭６０−１５９０６８号公報＝上記刊行物４）を提出し、本件請求項１乃至３に係る発明は、これらのそれぞれに記載された発明に基づいて当業者が容易に発明をすることができたものであり、本件請求項１乃至３に係る発明の特許は、特許法第２９条第２項の規定に違反してなされたものであるから取り消すべきである旨主張している。
（２）判断
　主張Ａについて、
　異議申立人原口文夫の提出した甲第１乃至５号証は、上記ＩＩの刊行物１乃至５であるから、その判断も、上記ＩＩの判断のとおりである。
　主張Ｂについて、
　異議申立人寺尾健吾の提出した甲第４号証、甲第５号証及び甲第６号証は、それぞれ、上記ＩＩの刊行物２、刊行物３及び刊行物４である。
　また、異議申立人寺尾健吾の提出した甲第１号証には、値札の印字データを入力する入力部と、この入力部からの印字データ及び固定情報を表示するＣＲＴディスプレイと、接続されるフロッピーディスクに記憶された値札フォーマットデータを含むフロッピーディスク情報を読取る続取り手段と、値札フォーマットの設定情報が記憶されたフォーマット記憶装置と、読取り手段により読取ったフロッピーディスク情報の値札フォーマットデータにより印字フォーマットを設定する印字フォーマット設定手段と、この手段により設定された印字フォーマットにしたがって印字データの印字を行なう印字制御手段とを具備する値札プリンタが記載されており、同じく、甲第２号証と甲第３号証には、カード情報読み取り手段により読み取ったカード情報の印字データにより印字を設定する印字設定手段を備えたプリンタが記載されているが、上記甲第１乃至３号証には、フロッピーディスク情報あるいはカード情報の印字データに、文字または記号の太さおよび間隔を印字フォーマットデータを含むことについて記載も示唆もない。
　従って、異議申立人寺尾健吾の提出した甲第１乃至６号証のいずれにも、上記ＩＩで記載した訂正発明を特定する事項である「カード情報読取り手段により読取ったカード情報の印字フォーマットデータによりサーマルヘッドで印字される文字または記号の太さおよび間隔を含む印字フォーマットを設定する印字フォーマット設定手段」の点が記載されておらず、また示唆もされていない。
　ゆえに、その判断も上記ＩＩのとおりである。
　したがって、上記Ａ及びＢのいずれの主張も採用することができない。
ＩＶ．むすび
　以上のとおりであるから、特許異議申し立ての理由及び証拠方法によっては、本件発明の特許を取り消すことができない。
　また、他に本件発明の特許を取り消すべき理由を発見しない。
　よって、結論のとおり決定する。
【異議決定日】
平成１１年９月２４日（１９９９．９．２４）
【訂正の要旨】
　訂正の要旨
　▲１▼訂正事項ａ
　特許請求の範囲を
「【請求項１】ラベルの印字データを入力する入力部と、この入力部からの印字データ及び所定メッセージを表示する表示部と、前記印字データをラベルに印字するサーマルヘッドと、着脱自在なメモリカードに記憶された印字フォーマットデータを含むカード情報を読取るカード情報続取り手段と、標準の印字フォーマットの設定情報が記憶された標準設定情報記憶手段と、前記メモリカードか又は前記標準設定情報記憶羊段かを選択する選択手段と、前記メモリカード未装着という条件又は前記メモリカード装着及び前記選択手段による前記標準設定情報記憶手段の選択という条件で、前記標準設定情報記憶手段に記憶された標準の印字フォーマットの設定情報に基づいて印字フォーマットを設定し、前記メモリカードの装着及び前記選択手段によるメモリカードの選択という条件で、前記カード情報読取り手段により読取ったカード情報の印字フォーマットデータにより
前記サーマルヘッドで印字される文字または記号の太さおよび間隔を含む
　【請求頃２】印字フォーマット設定手段は、カード情報の印字フォーマットデータによりサーマルヘッドへの印加電圧の設定を行なうことを特徴とする請求項１記載のラベルプリンタ。」と訂正する。
▲２▼訂正事項ｂ
　明細書第３頁の段落【００７】の「により印字フォーマットを設定する印字フォーマット設定手段」（特許公報第２頁第４欄第１３〜１４行）を、「によりサーマルヘッドで印字される文字または記号の太さおよび間隔を含む印字フォーマットを設定する印字フォーマット設定手段」に訂正する。
▲３▼訂正事項ｃ
　明細書の段落【００１０】の記載をすべて削除する。
（５４）【発明の名称】
ラベルプリンタ
（５７）【特許請求の範囲】
　　【請求項１】　ラベルの印字データを入力する入力部と、この入力部からの印字データ及び所定メッセージを表示する表示部と、前記印字データをラベルに印字するサーマルヘッドと、着脱自在なメモリカードに記憶された印字フォーマットデータを含むカード情報を読取るカード情報読取り手段と、標準の印字フォーマットの設定情報が記憶された標準設定情報記憶手段と、前記メモリカードか又は前記標準設定情報記憶手段かを選択する選択手段と、前記メモリカード未装着という条件又は前記メモリカード装着及び前記選択手段による前記標準設定情報記憶手段の選択という条件で、前記標準設定情報記憶手段に記憶された標準の印字フォーマットの設定情報に基づいて印字フォーマットを設定し、前記メモリカードの装着及び前記選択手段によるメモリカードの選択という条件で、前記カード情報読取り手段により読取ったカード情報の印字フォーマットデータにより
前記サーマルヘッドで印字される文字または記号の太さおよび間隔を含む
　　【請求項２】　印字フォーマット設定手段は、カード情報の印字フォーマットデータによりサーマルヘッドへの印加電圧の設定を行なうことを特徴とする請求項１記載のラベルプリンタ。
【発明の詳細な説明】
　　【発明の属する技術分野】
　本発明は、ラベルプリンタに関する。
　　【従来の技術】
　近年、販売商品の管理情報としてバーコード方式が広く採用されている。これは販売商品の製造業者、商品コードなどを白と黒の２色のバーの組み合わせで表わすものであり、商品に直接印刷されたものもあるが、生鮮食品等ではシールとして商品に貼付され、衣料品等ではタグとして商品に取り付けられている。そして、上述したようなシールやタグ等のラベルは用途によって用紙が異なる上、バーコード以外に金額や商品名等の文字情報が印字されており、その印字パターンは業者等によって異なっている。従って、このようなラベルを作成する場合、その印字フォーマットは多種にわたることになる。
　さて、ラベルの作成にあたっては、ラベルプリンタが使用される。このラベルプリンタはホストコンピュータに接続して適時印字フォーマットや印字データをホスト側から送出することにより使用者の要求に応じたラベルの作成は可能であるが、コスト面等からホストコンピュータを用いずに使用することが多い。この場合、プリンタ付属のキーボードやＣＲＴディスプレイなどを用いて印字フォーマットや印字データの設定を行っている。
　ところが、前述したように、ラベルの印字フォーマットは使用者の業種、用途等によって異なり、ラベルプリンタに汎用性を持たせようとすると内蔵のＲＯＭに多数の印字フォーマットデータを設定しなければならずコスト高となる。このため、実際には使用者の要求に合わせてプログラムを作り、このプログラムデータをＲＯＭに格納して印字フォーマットを決定していた。
　　【発明が解決しようとする課題】
　上述したように、従来のこの種のラベルプリンタにおいては、単体で使用しようとすると印字フォーマットがＲＯＭ内のプログラムデータによって決定されており、ＲＯＭ内のプログラムを変更するのは容易ではないので、汎用性に富んだ使用が困難であった。また、ＲＯＭ内のプログラムデータが使用者の要求する印字フォーマットによって異なるため複雑なものとなり、製造効率の低下をもたらしていた。
　そこで本発明は、メモリカードを変更するのみの簡単な操作で印字フォーマットを容易に変更でき、汎用性に富んだ使用ができ、また、内蔵するプログラムを標準化できて製造効率を高めることができ、しかもコスト低下を実現できるラベルプリンタを提供する。
　　【課題を解決するための手段】
　請求項１記載の発明は、ラベルの印字データを入力する入力部と、この入力部からの印字データ及び所定メッセージを表示する表示部と、印字データをラベルに印字するサーマルヘッドと、着脱自在なメモリカードに記憶された印字フォーマットデータを含むカード情報を読取るカード情報読取り手段と、標準の印字フォーマットの設定情報が記憶された標準設定情報記憶手段と、メモリカードか又は標準設定情報記憶手段かを選択する選択手段と、メモリカード未装着という条件又はメモリカード装着及び選択手段による標準設定情報記憶手段の選択という条件で、標準設定情報記憶手段に記憶された標準の印字フォーマットの設定情報に基づいて印字フォーマットを設定し、メモリカードの装着及び選択手段によるメモリカードの選択という条件で、カード情報読取り手段により読取ったカード情報の印字フォーマットデータにより
サーマルヘッドで印字される文字または記号の太さおよび間隔を含む
　これにより、使用者の要求に対応する印字フォーマットデータが記憶されたメモリカードが接続されると、使用者対応の印字フォーマットで印字データの印字が為される。そして、メモリカードは着脱自在なのでメモリカードの変更すなわち印字フォーマットの変更は容易である。また、選択手段によりメモリカードが接続されていても、標準の印字フォーマットを設定することができるので、標準の印字フォーマットを設定したい場合もメモリカードを外す必要がない。
　請求項２記載の発明は、請求項１記載のラベルプリンタにおいて、印字フォーマット設定手段は、カード情報によりサーマルヘッドへの印加電圧の設定を行なうことにある。
　　【発明の実施の形態】
　以下、本発明の実施の形態を図面を参照して説明する。
　図１は、ラベルプリンタの外観図で、扉１を側面に形成する筐体２の前面には、商品名、金額、バーコード用の商品コード等のラベルへの印字データを入力する入力部としてのキーボード３、印字データやメッセージなどを表示する表示部としてのＣＲＴディスプレイ４、印字後のラベルが発行されるラベル発行口５、メモリカード６を装着するカード挿入口７が設けられている。
　また、筐体２の上面には印字前のラベルが所定間隔で貼付されたロール状のラベル用紙８を支持する支持部材９が設けられている。なお、図示しないが筐体２にはホストコンピュータとのオンライン接続を行なうためのコネクタ及び電源スイッチも設けられている。
　図２は、上記ラベルプリンタのブロック構成図である。ＣＰＵ（中央処理装置）１０は、アドレスバス、データバスなどのバスライン１１を介してプログラムデータ、各種キャラクタジェネレータなどの固定データを記憶するＲＯＭ１２と、キーボード３からの入力データなどの可変的データを記憶するＲＡＭ１３とを接続している。
　また、ラベルへの印字を行なうサーマルプリンタ部１４の動作を制御するプリンタコントローラ１５、キーボード３からのキー信号を入力してＣＰＵ１０にて処理されるコード形態に変換するキーボードコントローラ１６、ＣＲＴディスプレイ４を駆動して表示データに対応する文字等を表示させるディスプレイコントローラ１７、ホストコンピュータ１８とのデータ伝送を司る伝送インターフェース１９、メモリカード６を着脱自在に接続するＩ／Ｏポート２０などが前記バスライン１１を介してＣＰＵ１０に接続されている。
　上記サーマルプリンタ部１４は、紙送りを行なうステッピングモータ２１、このモータを駆動するためのモータドライバ２２、印字を行なうサーマルヘッド２３、このヘッドを駆動するヘッドドライバ２４、ラッチ回路２５及びシフトレジスタ２６から構成されている。そして、プリンタコントローラ１５からはモータドライバ２２に対してモータ制御信号Ｓ１が出力され、ラッチ回路２５にはラッチ信号Ｓ２が出力され、シフトレジスタ２６にはデータ信号Ｓ３とシフトクロツク信号Ｓ４とが出力される。また、プリンタコントローラ１５にはサーマルヘッド２３への電圧供給ラインＰが接続されており、印加電圧は変更可能になっている。
　図３は、前記メモリカード６における記憶領域の構成図である。同図に示すように、メモリカード６には使用者の要求に対応する印字フォーマットデータを記憶する印字フォーマットエリアＲ１と、同じく使用者の要求に対応する表示フォーマットデータを記憶する表示フォーマットエリアＲ２と、バーコードなどに対する印字精度を検査するためのチェック用データを記憶するチェック用データエリアＲ３とからなる。
　そして、印字フォーマットエリアＲ１には文字やバーコードの印字開始位置等を示す印字パターンデータやキャラクタジェネレータの種類を指定するデータなどの他に、サーマルヘッド２３への印加電圧を設定するヘッド電圧設定データＤ１、バーコードの構成比として細バーと太バーとの間隔や細バーと太バーとのドット数等を設定するバーコード設定データＤ２が記憶されている。また、表示フォーマット設定エリアＲ２にはメッセージが各国毎の標準言語で記憶されており、ＣＲＴディスプレイ４上に表示されるものとなっている。
　しかして、前記ＣＰＵ１０はホストコンピュータ１８が接続されていない状態で図４に示す流れ図を実行するように構成されている。すなわち、電源スイッチの投入によって所定の初期設定が終了すると、ステップ（以下ＳＴと略称する）１としてカード挿入口７にメモリカードが装着されているか否かを判断する。そして、カード装着であれば、ＳＴ２としてメモリカード６における表示フォーマットデータにしたがって印字フォーマットコードの入カメッセージを表示させる。ここで装着されたメモリカード６が例えば英語対応のカードであればメッセージは「ｉｎｐｕｔ−ｆｏｒｍａｔ−ｃｏｄｅ？」となり、日本語対応のカードであれば「フォーマットコードは？」等になる。
　次に、キーボード３からのフォーマットコードの入力を確認すると、ＳＴ３として該当コードの印字フォーマットがメモリカード６内の印字フォーマットデータか、ＲＯＭ１２内の印字フォーマットデータであるかを判断する。なお、ＲＯＭ１２内には標準的な印字フォーマットに対応するプログラムデータが設定されているものとする。そして、メモリカード６側であれば印字フォーマットエリアＲ１内の印字フォーマットデータを読込む。これに対し、ＲＯＭ１２側であればＲＯＭ１２内の印字フォーマットデータを読込む。また、ＳＴ１にてメモリカード６が装着されていない場合もＲＯＭ１２から印字フォーマットデータを読込む。
　かくして、印字フォーマットデータを読込み、印字フォーマットが設定されたならば、ＳＴ４としてキーボード３から印字データとして商品名、金額等の文字データや商品コードなどのバーコードデータを入力する。このとき、印字データをＣＲＴディスプレイ４に表示させる。
　次いで、ＳＴ５として印字データを作成する。つまり、入力される印字データはアスキーコードで入力されるので、これを該当するキャラクタジェネレータを用いてドットデータなどのように実際に印字するためのデータに変換する。また、各データの印字開始位置、バーコードの種類等は印字フォーマットにより決められているので、これに応じて１頁分の印字データを作成する。
　次に、ＳＴ６として印字フォーマットにしたがって図５に示す印字条件設定処理を行なう。すなわち、印字スピード設定データにより印字スピードの設定を行ない、ヘッド電圧設定データＤ１によりサーマルヘッド２３への印加電圧の設定を行ない、バーコード設定データＤ２によりバーコードの細バーと太バーとのドット数および細バーと太バーとの間隔を設定する。
　その後、ＳＴ７として図６に示す印字処理を行なう。すなわち、ステッピングモータ２１を駆動してラベル用紙８をフィードし、１ライン分の印字データをサーマルヘッド２３に送出して、電圧供給ラインＰを介して一定時間サーマルヘッド２３に電圧を印加する。
　以上の動作を繰返し、１頁分の印字を行なったならば終了する。
　このようなＣＰＵ１０の動作により印字発行されたラベルの一例を図７に示す。商品名「ＳＷＥＡＴＥＲ」、金額「＄５６．７」等の文字やバーコードの印字開始位置、文字の種類等は印字フォーマットによって設定されている。
　このように構成されたこの実施の形態においては、使用者の要求に対応する印字フォーマットデータを記憶したメモリカード６を作製することにより、このメモカード６をカード挿入口７に装着するだけで使用者の要求に応じた印字フォーマットでラベルが発行される。
　従って、ラベルプリンタ内蔵のＲＯＭ１２には標準的なプログラムデータを格納しておくだけでよく、プログラムデータの簡略化を図ることができ、製造効率を十分に高めることができる。また、メモリカード６は着脱自在なので、メモリカード６を変更することにより印字フォーマットを容易に変更でき、汎用性に富んだ使用が可能になる。
　また、次のような作用効果も生じる。すなわち、ラベルプリンタにて印字を行なうラベルの紙種はシールやタグなどのように異なるが、サーマルプリンタの場合、その印字品質は紙種に大いに影響される。そして、一定以上の印字品質を得るためにはサーマルヘッド２３に印加する電圧を紙種に応じて調整する必要がある。この点、印字フォーマットデータの中にヘッド電圧設定データＤ１として紙種に対応するヘッド印加電圧を記憶したメモリカード６を使用することができるので、常に高品質な印字が可能になる。
　また、バーコードの構成は規格化されているが、使用者によっては細バーと太バーとの間隔または細バーと太バーとのドット数を変える場合がある。このような場合に、印字フォーマットデータの中にバーコード設定データＤ２として所望のバーコード構成比を記憶したメモリカード６を使用することにより、要求通りのバーコードを印字したラベルを発行できる。
　また、使用者の要求に対応する表示フォーマットを設定したメモリカードを作製することにより、このカードを装着するだけで使用者の言語によるメッセージ表示ができる。従って、どの国の使用者にとってもメッセージを容易に理解でき、汎用性を大いに高めることができる。
　さらに、メモカード６にはチェック用データが格納されているので、サービスマンはこのメモリカード６を装着するだけで印字精度のチェックなどが容易にしかも確実に行なうことができる。
　なお、メモリカード６の作製はパーソナルコンピュータなどを用いて容易に行なうことができる。例えば、メモリカード６を装着したラベルプリンタにパーソナルコンピュータを接続し、このパーソナルコンピュータからメモカード６へ使用者の要求に対応するフォーマットデータを送信することにより、所望のフォーマットデータを記憶したメモリカード６を作製できる。従って、使用者の要求に対して迅速に所望のメモリカード６を作製することができる。
　また、メモリカード６はＩ／Ｏポート２０のみを介してバスライン１１に接続されており、特別な回路を必要としないので安価に実現できる。この点、例えばフロッピディスクを使用するとディスクドライブ回路等を必要とし、コストアップは避けられない。
　　【発明の効果】
　以上詳述したように、本発明によれば、メモリカードを変更するのみの簡単な操作で印字フォーマットを容易に変更でき、汎用性に富んだ使用ができ、また、内蔵するプログラムを標準化できて製造効率を高めることができ、しかもコスト低下を実現できるラベルプリンタを提供できる。
【図面の簡単な説明】
　　【図１】
　本発明の実施の形態を示すラベルプリンタの外観図。
　　【図２】
　同実施の形態のブロック構成図。
　　【図３】
　同実施の形態におけるメモリカードの記憶構成を示す図。
　　【図４】
　同実施の形態のＣＰＵによるメインルーチンを示す流れ図。
　　【図５】
　同実施の形態のＣＰＵによる印字条件設定処理を示す流れ図。
　　【図６】
　同実施の形態のＣＰＵによる印字処理を示す流れ図。
　　【図７】
　同実施の形態におけるラベルの１発行例を示す図。
　　【符号の説明】
　３…キーボード
　４…ＣＲＴディスプレイ
　６…メモリカード
　８…ラベル用紙
　１０…ＣＰＵ（中央処理装置）
　１２…ＲＯＭ
　１５…プリンタコントローラ
　２０…Ｉ／Ｏポート
　２３…サーマルヘッド